(57)【要約】【課題】密閉タンクの可搬性を向上させたマイクロバブル生成装置を提供する。【解決手段】内部にマイクロバブル生成機構を備えた密閉タンク２と、密閉タンク２の上部に取り付けられ、加圧された液体の供給源に一方側が接続されるとともに、マイクロバブル生成機構の一部を構成する液体吐出部に他方側が接続される投入側管継手４と、密閉タンク２の下部に取り付けられ、この密閉タンク２内の液体を排出するための排出側管継手８と、この排出側管継手８に接続された開閉バルブ９とを備える。投入側管継手４に、密閉タンク２を持ち上げるための持ち手６を取り付ける。【選択図】図１
0003222341.tif 000002
【実用新案登録請求の範囲】
【請求項１】
内部にマイクロバブル生成機構を備えた密閉タンクと、
前記密閉タンクの上部に取り付けられ、加圧された液体の供給源に一方側が接続されるとともに、前記マイクロバブル生成機構の一部を構成する液体吐出部に他方側が接続される投入側管継手と、
前記密閉タンクの下部に取り付けられ、該密閉タンク内の液体を排出するための排出側管継手と、
前記排出側管継手に接続された開閉バルブとを備えて構成されるマイクロバブル生成装置であって、
前記投入側管継手に、前記密閉タンクを持ち上げるための持ち手を取り付けたことを特徴とするマイクロバブル生成装置。
【請求項２】
前記投入側管継手は、直線状をした基部及びこの基部の中間部から垂直に分岐した分岐部を有するＴ型継手から構成され、
前記分岐部は前記液体吐出部に接続され、前記基部の一方側に前記供給源が接続されるとともに、前記基部の他方側に前記持ち手が取り付けられていることを特徴とする請求項１記載のマイクロバブル生成装置。
【請求項３】
前記持ち手は棒状をした部材であり、前記基部から外方に延出するように前記他方側に取り付けられていることを特徴とする請求項２記載のマイクロバブル生成装置。
【考案の詳細な説明】
【技術分野】
【０００１】
本考案は、液体中に微細な気泡を生成するためのマイクロバブル生成装置に関する。
【背景技術】
【０００２】
近年、適宜液体中、例えば水の中にマイクロバブルと呼ばれる微細な気泡を含んだマイクロバブル水（液）が提案されている。このマイクロバブル水は水質を改善したり、生物の生理活性を促すといった効果の他、洗浄効果や殺菌効果があるとのことで、各種洗浄の分野、水質浄化、魚介類の養殖や水耕栽培といった広い分野で、その適用が試みられている。
【０００３】
このようなマイクロバブル水を生成する装置の一例として、従来、下記特許文献１に開示されるマイクロバブル発生装置が知られている。このマイクロバブル発生装置は、入浴用の浴槽においてマイクロバブルを発生させるための装置であり、内部に噴射ノズルと衝突板が設けられた混合容器（以下、密閉タンクと言う）を備えている。噴射ノズルには加圧された水が吐出管を介して供給され、その噴射孔から吐出される。衝突板は噴射ノズルの噴射孔と対向する位置に設けられており、噴射ノズルから吐出された水が衝突板に衝突し、この衝突によって空気が高濃度に溶解した空気溶解水が生成される。そして、生成された空気溶解水は供給管を介して密閉タンクから浴槽に供給され、当該浴槽内においてマイクロバブルを発生させる。尚、一般的に、前記吐出管及び供給管は適宜管継手を介して前記密閉タンクに接続されている。
【先行技術文献】
【特許文献】
【０００４】
【特許文献１】特開２００７−１９０４６６号公報
【考案の概要】
【考案が解決しようとする課題】
【０００５】
ところで、近年、高齢化が進み、介護の必要な高齢者が増加している。このため、高齢者が快適に生活することができ、しかも容易に介護を受けることができるように、居住設備や介護設備が充実した特別な集合住宅が提案されている。
【０００６】
その一方、上記のような特別な集合住宅は、費用の負担が高額となるため、介護設備等が用意された特別な住宅に移り住むのではなく、引き続き現在の住宅に居住しながら、介護を受けることを希望する高齢者も増えてきている。このような要望に応えるため、介護業者は個人宅に居住する要介護者に対して訪問介護を行っており、このような介護サービスの中に、入浴サービスが含まれている。そして、この入浴サービスにおいて、上述したマイクロバブル水の洗浄効果等が着目され、当該マイクロバブル水の適用が進められている。
【０００７】
ところが、近年では、バリアフリーなどの観点から、マンション等の比較的高層の建物に居住する要介護者が増えてきており、上述した従来のマイクロバブル発生装置には、このような高層の建物に居住する要介護者に対して入浴サービスを提供するために、改善すべき点があった。
【０００８】
即ち、高層の建物に居住する要介護者に入浴サービスを提供するためには、マイクロバブル発生装置を要介護者の居住する部屋まで運搬する必要があるが、従来のマイクロバブル発生装置、とりわけ、密閉タンクは比較的重量物であるにも拘らず、その可搬性については全く考慮されておらず、このため、安全性、操作性及び作業効率の面から、当該可搬性を改善する必要があった。また、訪問介護サービスによる収益面の面からみても、可搬性、操作性を改善することによって、一日当たり、より多くの被介護者に入浴サービスを提供することができれば、より好ましい。
【０００９】
本考案は、以上の実情に鑑みなされたものであって、密閉タンクの可搬性を向上させたマイクロバブル生成装置の提供を、その目的とする。
【課題を解決するための手段】
【００１０】
上記課題を解決するための本考案は、
内部にマイクロバブル生成機構を備えた密閉タンクと、
前記密閉タンクの上部に取り付けられ、加圧された液体の供給源に一方側が接続されるとともに、前記マイクロバブル生成機構の一部を構成する液体吐出部に他方側が接続される投入側管継手と、
前記密閉タンクの下部に取り付けられ、該密閉タンク内の液体を排出するための排出側管継手と、
前記排出側管継手に接続された開閉バルブとを備えて構成されるマイクロバブル生成装置であって、
前記投入側管継手に、前記密閉タンクを持ち上げるための持ち手を取り付けたマイクロバブル生成装置に係る。
【００１１】
このマイクロバブル生成装置によれば、密閉タンクの上部に取り付けられた投入側管継手の一方側が、適宜供給管（例えば、供給ホース）を用いて、加圧された液体の供給源、例えば、水道の蛇口に接続される。また、前記排出側管継手に接続された開閉バルブには適宜排出管（例えば、排出ホース）の一方が接続され、その他方が入浴用の浴槽に接続される。
【００１２】
ついで、前記投入側管継手を介して、その他方側に接続された液体吐出部に水道水を供給すると、この液体吐出部から密閉タンク内に水道水が吐出され、この吐出作用によって、空気が高濃度に溶解した空気溶解水が生成される。そして、生成された空気溶解水は排出側管継手、開閉バルブ及び排出管を通して密閉タンクから浴槽に供給され、これにより当該浴槽内においてマイクロバブルが生成される。尚、浴槽に供給される空気溶解水の流量は前記開閉バルブの開度によって調整される。
【００１３】
そして、このマイクロバブル生成装置では、適宜供給管及び排出管を接続する前の密閉タンクは、その上部に設けられた前記投入側管継手に持ち手が取り付けられているので、この持ち手を持つことにより、当該密閉タンクを容易に持ち上げて運搬することができる。
【００１４】
したがって、密閉タンクを持ち上げる操作や、移動させる操作を容易に効率良く行うことができ、このマイクロバブル生成装置を訪問介護などに適用する場合には、その設置作業を容易にしかも効率的に行うことができる。
【００１５】
本考案に係るマイクロバブル生成装置において、前記投入側管継手は、直線状をした基部及びこの基部の中間部から垂直に分岐した分岐部を有するＴ型継手から構成されていても良く、この場合、前記分岐部は前記液体吐出部に接続され、前記基部の一方側に前記供給源が接続されるとともに、前記基部の他方側に前記持ち手が取り付けられる。このようにすれば、持ち手の他にＴ型継手をも利用して密閉タンクを持ち上げることができ、より安定した状態で密閉タンクを操作することができる。
【００１６】
更に、投入側管継手としてＴ型継手を用いる場合に、前記持ち手は棒状をした部材から構成され、前記基部から外方に延出するように前記他方側に取り付けられていても良い。このようにすれば、持ち手及びＴ型継手を用いて、更に安定した状態で容易に密閉タンクを操作することができる。
【考案の効果】
【００１７】
以上のように、本考案に係るマイクロバブル生成装置によれば、密閉タンクの上部に設けられた投入側管継手に持ち手が取り付けられているので、この持ち手を持つことにより、当該密閉タンクを容易に持ち上げて運搬することができる。したがって、密閉タンクを持ち上げる操作や、移動させる操作を容易に効率良く行うことができ、このマイクロバブル生成装置を訪問介護などに適用する場合には、その設置作業を容易にしかも効率的に行うことができる。
【００１８】
また、投入側管継手をＴ型継手から構成すると、持ち手の他にＴ型継手をも利用して密閉タンクを持ち上げることができ、より安定した状態で密閉タンクを操作することができる。更に、この場合に、持ち手を棒状部材から構成し、これをＴ型継手の基部から外方に延出するように前記他方側に取り付けた構成とすれば、持ち手及びＴ型継手を用いて、更に安定した状態で容易に密閉タンクを操作することができる。
【図面の簡単な説明】
【００１９】
【図１】本考案の一実施形態に係るマイクロバブル生成装置を示した正面図である。
【図２】図１に示したマイクロバブル生成装置の左側面図である。
【考案を実施するための形態】
【００２０】
以下、本考案の具体的な実施の形態について、図面を参照しながら説明する。図１及び図２に示すように、本例のマイクロバブル生成装置１は、内部にマイクロバブル生成機構（図示せず）を備えた密閉タンク２、この密閉タンク２の下部に取り付けられて当該密閉タンク２を支持する安定脚３、前記密閉タンク２の上端部に取り付けられた投入側管継手４、及び密閉タンク２の下端部に取り付けられた排出側管継手８などを備えて構成される。
【００２１】
前記密閉タンク２は円筒状をした容器であり、上端部及び下端部がお椀状をした形状を備えている。また、密閉タンク２の内部に設けられるマイクロバブル生成機構（図示せず）は液体吐出部である吐出ノズルを備えており、外部から供給された液体を吐出ノズルの吐出口から密閉タンク２内に吐出する。また、密閉タンク２には内部の圧力を減圧するための減圧弁１２が設けられており、そのレバー１３を操作して当該減圧弁１２を開くことにより、当該減圧弁１２から密閉タンク２内の気体が排出され、これにより密閉タンク２内の圧力が減圧される。
【００２２】
前記投入側管継手４は、直線状をした基部４ａ及びこの基部４ａの中間部から垂直に分岐した分岐部４ｂを有する所謂Ｔ型継手から構成される。そして、分岐部４ｂは、密閉タンク２の上端部にこれを貫通した状態で固着されたニップル７に連結されている。また、密閉タンク２内のニップル７には前記吐出ノズルが連結されている。
【００２３】
前記基部４ａの一方側の開口にはコネクタ５が取り付けられ、この基部４ａの他方側の開口には持ち手６が取り付けられている。コネクタ５には、加圧された水の供給源、例えば、水道の蛇口に接続された供給ホース（図示せず）が接続されるようになっており、この投入側管継手４及びニップル７を介して、加圧された水が前記吐出ノズルに供給される。また、前記持ち手６は棒状をした部材からなり、前記基部４ａからこれに沿って外方に延出するように取り付けられている。
【００２４】
前記排出側管継手８は、その一方端が、上述の如く密閉タンク２の下端部に取り付けられた所謂Ｌ字型継手から構成され、その他方端に開閉バルブ９が連結され、開閉バルブ９にはコネクタ１１が取り付けられている。開閉バルブ９はレバー１０を備えており、このレバー１０を操作することで、管路の開度を調整することができるようになっている。また、コネクタ１１には、例えば、入浴用の浴槽（図示せず）に接続された排出ホース（図示せず）が連結されるようになっている。
【００２５】
以上の構成を備えた本例のマイクロバブル生成装置１によれば、まず、前記投入側管継手４に取り付けられたコネクタ５に、例えば、水道の蛇口に接続された供給ホースが接続される。そして、前記開閉バルブ９に取り付けられたコネクタ１１には、一方が浴槽に接続された排出ホースの他方が接続される。
【００２６】
ついで、水道の蛇口から、前記供給ホース、投入側管継手４及びニップル７を介して、前記吐出ノズルに水道水を供給すると、当該吐出ノズルから密閉タンク２内に水道水が吐出され、この吐出作用によって、空気が高濃度に溶解した空気溶解水が生成される。そして、生成された空気溶解水は排出側管継手８、開閉バルブ９及び排出ホースを通して密閉タンク２から浴槽に供給され、これにより当該浴槽内においてマイクロバブルが生成される。尚、浴槽に供給される空気溶解水の流量は前記開閉バルブ９の開度によって調整される。
【００２７】
そして、このマイクロバブル生成装置１では、前記密閉タンク２は、その上端部に設けられた前記投入側管継手４に持ち手６が取り付けられているので、作業者はこの持ち手６を持つことにより、当該密閉タンク２を容易に持ち上げて運搬することができる。密閉タンク２を持ち上げる操作や、移動させる操作を容易に効率良く行うことができ、このマイクロバブル生成装置１を訪問介護などに適用する場合には、作業者はその設置作業を容易にしかも効率的に行うことができる。
【００２８】
また、本例のマイクロバブル生成装置１では、前記投入側管継手４がＴ型継手から構成されているので、作業者は、持ち手６の他にこの投入側管継手４をも利用して密閉タンク２を持ち上げることができ、より安定した状態で密閉タンク２を操作することができる。
【００２９】
更に、本例のマイクロバブル生成装置１では、前記持ち手６を棒状の部材から構成するとともに、当該持ち手６を、前記投入側管継手４の基部４ａからこれに沿って外方に延出するように取り付けているので、作業者は、持ち手６及び投入側管継手４を用いて、更に安定した状態で容易に密閉タンク２を操作することができる。
【００３０】
以上、本考案の一実施の形態について説明したが、本考案が採り得る具体的な態様は、何らこれに限定されるものではない。
【００３１】
例えば、上例では、前記投入側管継手４をＴ型継手から構成したが、これに限られるものではなく、Ｌ型継手など、各種形状の管継手を用いることができる。この場合、持ち手６は投入側管継手４の適宜位置に取り付けることができる。
【００３２】
また、持ち手６の形状は、棒状に限られるものではなく、密閉タンク２を持ち上げる等の操作を行うことができればどのような形状であっても良く、例えば、環状であっても良い。
【００３３】
また、上例では、マイクロバブルを生成する対象の液体として水を例示したがこれに限られるものではない。また、マイクロバブル水の提供先を浴槽としたが、これに限られるものではない。液体の種類や、マイクロバブルの提供先は、マイクロバブル生成装置１を適用するその用途によって適宜選定される。
【符号の説明】
【００３４】
１    マイクロバブル生成装置
２    密閉タンク
３    安定脚
４    投入側管継手４
５    コネクタ
６    持ち手
７    ニップル
８    排出側管継手
９    開閉バルブ
１１  コネクタ
１２  減圧弁
【図１】
0003222341.tif 000003
【図２】
0003222341.tif 000004